(57)【要約】【課題】最適な受信周波数の設定を行うことができる送受信システム、ならびに送信機および受信機と送受信方法を実現する。【解決手段】送受信システム１において、送信機２は最適受信チェックボタンＣＢが押されると周波数変更テスト送信を行い、全搬送周波数の送信波を順に送信する。受信機３は、この送信波を受信して各搬送周波数に対してエラー発生率を判定してメモリＭ３に記憶する。続いて送信機２は周波数変更テスト送信と同様の周波数変更再送信を行い、受信機３は全搬送周波数の送信波を順に受信して、記憶したエラー発生率の最も小さい搬送周波数の送信波を受信したときにこれを最適な搬送周波数として受信周波数に設定し、表示装置ＤＰやスピーカＳＰでユーザに通知する。【選択図】図１
2005318008.tif 000002
【特許請求の範囲】
【請求項１】
複数の搬送周波数から選択された１つの搬送周波数を用いて送信機と受信機との間で無線通信を行う送受信システムであって、
前記送信機は、前記１つの搬送周波数を決定するための指示に基づいて、複数の前記搬送周波数のそれぞれの送信波を前記受信機に順に送信する周波数変更テスト送信を行い、
前記受信機は、前記周波数変更テスト送信によって順に送信された送信波を順に全て受信してそれぞれのエラー発生率を判定することを特徴とする送受信システム。
【請求項２】
前記送信機は、前記周波数変更テスト送信の後に、再度複数の前記搬送周波数のそれぞれの送信波を前記受信機に順に送信する周波数変更再送信を行い、
前記受信機は、前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴とする請求項１に記載の送受信システム。
【請求項３】
前記受信機は、前記周波数変更テスト送信に対して判定した前記エラー発生率の判定についての結果を前記送信機に送信し、
前記送信機は、前記受信機から送信された前記エラー発生率の判定についての結果を受信して、前記無線通信に用いる前記１つの搬送周波数を決定することを特徴とする請求項１に記載の送受信システム。
【請求項４】
複数の搬送周波数から選択された１つの搬送周波数を用いて受信機との間で無線通信を行う送信機であって、
前記１つの搬送周波数を決定するための指示に基づいて、複数の前記搬送周波数のそれぞれの送信波を前記受信機に順に送信する周波数変更テスト送信を行い、
前記周波数変更テスト送信によって順に送信した送信波は、前記受信機によって順に全て受信されてそれぞれのエラー発生率が判定されることを特徴とする送信機。
【請求項５】
前記周波数変更テスト送信の後に、再度複数の前記搬送周波数のそれぞれの送信波を前記受信機に順に送信する周波数変更再送信を行うことを特徴とする請求項４に記載の送信機。
【請求項６】
前記受信機から送信された前記エラー発生率の判定についての結果を受信して、前記無線通信に用いる前記１つの搬送周波数を決定することを特徴とする請求項４に記載の送信機。
【請求項７】
複数の搬送周波数から選択された１つの搬送周波数を用いて送信機との間で無線通信を行う受信機であって、
前記送信機が、前記１つの搬送周波数を決定するための指示に基づいて、複数の前記搬送周波数のそれぞれの送信波を前記受信機に順に送信する周波数変更テスト送信を行うと、
前記周波数変更テスト送信によって順に送信された送信波を順に全て受信してそれぞれのエラー発生率を判定することを特徴とする受信機。
【請求項８】
前記送信機が、前記周波数変更テスト送信の後に、再度複数の前記搬送周波数のそれぞれの送信波を前記受信機に順に送信する周波数変更再送信を行うと、
前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴とする請求項７に記載の受信機。
【請求項９】
前記周波数変更テスト送信に対して判定した前記エラー発生率の判定についての結果を前記送信機に送信することを特徴とする請求項７に記載の受信機。
【請求項１０】
複数の搬送周波数から選択された１つの搬送周波数を用いて送信機と受信機との間で無線通信を行う送受信方法であって、
前記送信機は、前記１つの搬送周波数を決定するための指示に基づいて、複数の前記搬送周波数のそれぞれの送信波を前記受信機に順に送信する周波数変更テスト送信を行い、
前記受信機は、前記周波数変更テスト送信によって順に送信された送信波を順に全て受信してそれぞれのエラー発生率を判定することを特徴とする送受信方法。
【請求項１１】
前記送信機は、前記周波数変更テスト送信の後に、再度複数の前記搬送周波数のそれぞれの送信波を前記受信機に順に送信する周波数変更再送信を行い、
前記受信機は、前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴とする請求項１０に記載の送受信方法。
【請求項１２】
前記受信機は、前記周波数変更テスト送信に対して判定した前記エラー発生率の判定についての結果を前記送信機に送信し、
前記送信機は、前記受信機から送信された前記エラー発生率の判定についての結果を受信して、前記無線通信に用いる前記１つの搬送周波数を決定することを特徴とする請求項１０に記載の送受信方法。
【発明の詳細な説明】
【技術分野】
【０００１】
本発明は、送信機と受信機とで構成される送受信システムに係り、特に、ディジタルワイアレス方式で送受信を行う送受信システムに関する。
【背景技術】
【０００２】
ディジタルワイアレス方式の送受信システムにおいて送信機から送信された信号を受信機で受信する際に、他の電子機器からの輻射を受けたり、送信機から送信された信号が、壁、天井、屋根、周囲の金属部等により反射および吸収されたりすることにより、正常に受信できない場合が発生する。ディジタルワイアレス方式では、使用時における特定の周波数帯域内での周波数変更は認められており、その帯域内で周波数をチャネル分けすることができる。
【０００３】
現在、無線ＬＡＮ、ブルーツース機器、電子レンジの周波数等の、非常に多数の周波数の電波が同じ周波数帯で飛びかっており、いかに妨害周波数を避けて最適な受信を行うかが重要となる。
【０００４】
従来の送受信システムでは、受信状況が悪化して正常受信できなくなった場合に、送信機の送信周波数を手動で変更し、また、受信機においては、受信周波数を手動で変更するか、もしくは受信機が受信不良になった場合に受信機自体が自動サーチモードに入って受信周波数を次のチャネルに変え、正常に受信できた場合にその周波数でサーチを止める仕組みになっている。
【０００５】
特許文献１に記載の無線選択呼出受信機では、異なる無線周波数チャネルを順に受信して、受信した無線周波数チャネルの受信電界強度が予め定めた基準値を越えると、その受信信号に含まれるシステム情報が受信機の保有するシステム情報と一致するか否かの判定を行う。そして、受信電界強度が基準値を越えない場合およびシステム情報が一致しない場合は、受信チャネルの設定を次の順番のチャネルに切り替える。
【０００６】
また、特許文献２に記載の移動通信における接続制御方式では、ある接続装置と無線端末との間で既に呼が確立している状態において新たにある接続装置と無線端末との間に呼を生起するときに、新たに生起する呼が既に存在している呼に干渉妨害を与えないようにしている。この方法では、新たな呼を生起する接続装置の送信する電波が既に呼を確立している無線端末に対してどの程度の干渉量となるかを当該無線端末が検出して、新たな呼を生起する接続装置に通知する。新たな呼を生起する接続装置は、通知された干渉量が一定値以上あれば、そのチャネルは使用せず、他のチャネルを探索する。
【特許文献１】特開平６−２４４７７７号公報（公開日：１９９４年９月２日）
【特許文献２】特開平２−１９２３３０号公報（公開日：１９９０年７月３０日）
【発明の開示】
【発明が解決しようとする課題】
【０００７】
しかしながら、従来の送受信システムでは、受信状況が悪化した場合に受信周波数を単に別の周波数に変えることで受信状況を改善させているだけであり、チャネル割り当てを行った搬送周波数の中で最も受信が良好な周波数であるとは限らない。このことは、特許文献１および２において、受信レベルや干渉レベルの良否をある基準値と比較するだけで決定している構成によく現れている。
【０００８】
さらに別の周波数で受信すれば、さらに良好な受信が望める場合が多いが、今まではこの最適な受信周波数を自動で探って設定することを行っていなかった。
【０００９】
本発明は、上記の問題点に鑑みてなされたものであり、その目的は、最適な受信周波数の設定を行うことができる送受信システム、ならびに送信機および受信機と送受信方法を実現することにある。
【課題を解決するための手段】
【００１０】
本発明の送受信システムは、上記課題を解決するために、複数の搬送周波数から選択された１つの搬送周波数を用いて送信機と受信機との間で無線通信を行う送受信システムであって、前記送信機は、前記１つの搬送周波数を決定するための指示に基づいて、複数の前記搬送周波数のそれぞれの送信波を前記受信機に順に送信する周波数変更テスト送信を行い、前記受信機は、前記周波数変更テスト送信によって順に送信された送信波を順に全て受信してそれぞれのエラー発生率を判定することを特徴としている。
【００１１】
上記の発明によれば、受信機は、送信機から周波数変更テスト送信によって送信される全ての搬送周波数の送信波についてエラー発生率を判定するので、判定したエラー発生率から、最適な受信を行うことができる搬送周波数を決定することができる。
【００１２】
この結果、最適な受信周波数の設定を行うことができる送受信システムを実現することができるという効果を奏する。
【００１３】
本発明の送受信システムは、上記課題を解決するために、前記送信機は、前記周波数変更テスト送信の後に、再度複数の前記搬送周波数のそれぞれの送信波を前記受信機に順に送信する周波数変更再送信を行い、前記受信機は、前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴としている。
【００１４】
上記の発明によれば、受信機は、送信機から周波数変更再送信によって送信される送信波に合わせて受信周波数を設定していき、エラー発生率の最も小さい送信波を受信したときに、この送信波の搬送周波数を無線通信に用いる１つの搬送周波数として、自己の受信周波数とするとともに、ユーザに通知することができるという効果を奏する。
【００１５】
本発明の送受信システムは、上記課題を解決するために、前記受信機は、前記周波数変更テスト送信に対して判定した前記エラー発生率の判定についての結果を前記送信機に送信し、前記送信機は、前記受信機から送信された前記エラー発生率の判定についての結果を受信して、前記無線通信に用いる前記１つの搬送周波数を決定することを特徴としている。
【００１６】
上記の発明によれば、受信機が、周波数変更テスト送信により送信された送信波について行ったエラー発生率の判定についての結果を送信機に送信すると、送信機はこの結果を受信し、無線通信に用いる１つの搬送周波数を決定して、直接自己により送信周波数をこの周波数に設定することができる。従って、早い時間で、また、簡単に、最適受信ができるようになるという効果を奏する。
【００１７】
本発明の送信機は、上記課題を解決するために、複数の搬送周波数から選択された１つの搬送周波数を用いて受信機との間で無線通信を行う送信機であって、前記１つの搬送周波数を決定するための指示に基づいて、複数の前記搬送周波数のそれぞれの送信波を前記受信機に順に送信する周波数変更テスト送信を行い、前記周波数変更テスト送信によって順に送信した送信波は、前記受信機によって順に全て受信されてそれぞれのエラー発生率が判定されることを特徴としている。
【００１８】
上記の発明によれば、受信機は、送信機から周波数変更テスト送信によって送信される全ての搬送周波数の送信波についてエラー発生率を判定するので、判定したエラー発生率から、最適な受信を行うことができる搬送周波数を決定することができる。
【００１９】
この結果、最適な受信周波数の設定を行うための送信機を実現することができるという効果を奏する。
【００２０】
本発明の送信機は、上記課題を解決するために、前記周波数変更テスト送信の後に、再度複数の前記搬送周波数のそれぞれの送信波を前記受信機に順に送信する周波数変更再送信を行うことを特徴としている。
【００２１】
上記の発明によれば、受信機は、送信機から周波数変更再送信によって送信される送信波に合わせて受信周波数を設定していき、エラー発生率の最も小さい送信波を受信したときに、この送信波の搬送周波数を無線通信に用いる１つの搬送周波数として、自己の受信周波数とするとともに、ユーザに通知することができるという効果を奏する。
【００２２】
本発明の送信機は、上記課題を解決するために、前記受信機から送信された前記エラー発生率の判定についての結果を受信して、前記無線通信に用いる前記１つの搬送周波数を決定することを特徴としている。
【００２３】
上記の発明によれば、受信機が、周波数変更テスト送信により送信された送信波について行ったエラー発生率の判定についての結果を送信機に送信すると、送信機はこの結果を受信し、無線通信に用いる１つの搬送周波数を決定して、直接自己により送信周波数をこの周波数に設定することができる。従って、早い時間で、また、簡単に、最適受信ができるようになるという効果を奏する。
【００２４】
本発明の受信機は、上記課題を解決するために、複数の搬送周波数から選択された１つの搬送周波数を用いて送信機との間で無線通信を行う受信機であって、前記送信機が、前記１つの搬送周波数を決定するための指示に基づいて、複数の前記搬送周波数のそれぞれの送信波を前記受信機に順に送信する周波数変更テスト送信を行うと、前記周波数変更テスト送信によって順に送信された送信波を順に全て受信してそれぞれのエラー発生率を判定することを特徴としている。
【００２５】
上記の発明によれば、受信機は、送信機から周波数変更テスト送信によって送信される全ての搬送周波数の送信波についてエラー発生率を判定するので、判定したエラー発生率から、最適な受信を行うことができる搬送周波数を決定することができる。
【００２６】
この結果、最適な受信周波数の設定を行うための受信機を実現することができるという効果を奏する。
【００２７】
本発明の受信機は、上記課題を解決するために、前記送信機が、前記周波数変更テスト送信の後に、再度複数の前記搬送周波数のそれぞれの送信波を前記受信機に順に送信する周波数変更再送信を行うと、前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴としている。
【００２８】
上記の発明によれば、受信機は、送信機から周波数変更再送信によって送信される送信波に合わせて受信周波数を設定していき、エラー発生率の最も小さい送信波を受信したときに、この送信波の搬送周波数を無線通信に用いる１つの搬送周波数として、自己の受信周波数とするとともに、ユーザに通知することができるという効果を奏する。
【００２９】
本発明の受信機は、上記課題を解決するために、前記周波数変更テスト送信に対して判定した前記エラー発生率の判定についての結果を前記送信機に送信することを特徴としている。
【００３０】
上記の発明によれば、受信機が、周波数変更テスト送信により送信された送信波について行ったエラー発生率の判定についての結果を送信機に送信すると、送信機はこの結果を受信し、無線通信に用いる１つの搬送周波数を決定して、直接自己により送信周波数をこの周波数に設定することができる。従って、早い時間で、また、簡単に、最適受信ができるようになるという効果を奏する。
【００３１】
本発明の送受信方法は、上記課題を解決するために、複数の搬送周波数から選択された１つの搬送周波数を用いて送信機と受信機との間で無線通信を行う送受信方法であって、  前記送信機は、前記１つの搬送周波数を決定するための指示に基づいて、複数の前記搬送周波数のそれぞれの送信波を前記受信機に順に送信する周波数変更テスト送信を行い、  前記受信機は、前記周波数変更テスト送信によって順に送信された送信波を順に全て受信してそれぞれのエラー発生率を判定することを特徴としている。
【００３２】
上記の発明によれば、受信機は、送信機から周波数変更テスト送信によって送信される全ての搬送周波数の送信波についてエラー発生率を判定するので、判定したエラー発生率から、最適な受信を行うことができる搬送周波数を決定することができる。
【００３３】
この結果、最適な受信周波数の設定を行うことができる送受信方法を実現することができるという効果を奏する。
【００３４】
本発明の送受信方法は、上記課題を解決するために、前記送信機は、前記周波数変更テスト送信の後に、再度複数の前記搬送周波数のそれぞれの送信波を前記受信機に順に送信する周波数変更再送信を行い、前記受信機は、前記周波数変更再送信によって順に送信された送信波を順に受信して、前記周波数変更テスト送信に対して判定した前記エラー発生率の最も小さい送信波を受信したときに、対応する搬送周波数を前記無線通信に用いる前記１つの搬送周波数として決定して通知を行うことを特徴としている。
【００３５】
上記の発明によれば、受信機は、送信機から周波数変更再送信によって送信される送信波に合わせて受信周波数を設定していき、エラー発生率の最も小さい送信波を受信したときに、この送信波の搬送周波数を無線通信に用いる１つの搬送周波数として、自己の受信周波数とするとともに、ユーザに通知することができるという効果を奏する。
【００３６】
本発明の送受信方法は、上記課題を解決するために、前記受信機は、前記周波数変更テスト送信に対して判定した前記エラー発生率の判定についての結果を前記送信機に送信し、前記送信機は、前記受信機から送信された前記エラー発生率の判定についての結果を受信して、前記無線通信に用いる前記１つの搬送周波数を決定することを特徴としている。
【００３７】
上記の発明によれば、受信機が、周波数変更テスト送信により送信された送信波について行ったエラー発生率の判定についての結果を送信機に送信すると、送信機はこの結果を受信し、無線通信に用いる１つの搬送周波数を決定して、直接自己により送信周波数をこの周波数に設定することができる。従って、早い時間で、また、簡単に、最適受信ができるようになるという効果を奏する。
【発明の効果】
【００３８】
本発明の送受信システム、送信機、受信機、および送受信方法によれば、以上のように、送信機は、無線通信に用いる１つの搬送周波数を決定するための指示に基づいて周波数変更テスト送信を行い、受信機は、周波数変更テスト送信によって順に送信された送信波を順に全て受信してそれぞれのエラー発生率を判定する。
【００３９】
従って、最適な受信周波数の設定を行うことができるという効果を奏する。
【発明を実施するための最良の形態】
【００４０】
本発明の実施形態について、図１および図２に基づいて説明すれば、以下の通りである。
【００４１】
図１に、本実施形態の送受信システム１の構成を示す。送受信システム１は、オーディオデジタル信号を送受信するサラウンドシステムなどに適用されるものである。
【００４２】
送受信システム１は、送信機２および受信機３を備えている。送信機２は無線送信機であり、受信機３は無線受信機である。例えば送受信システム１がサラウンドシステムの場合、フロントスピーカはアンプに有線で接続されるとして、送信機２はアンプに設けられるオーディオ信号生成装置に、受信機３はリアスピーカなどの単数また複数の装置に該当する。
【００４３】
送信機２は、無線送信部ｗ１、マイコンＭ１、および操作キーＫを備えている。
【００４４】
無線送信部ｗ１は、Ａ／Ｄ変換部３、変調部４、周波数制御部５、発振部６、およびアンテナＡ１を備えている。電源は図中Ｐ１で示されるように外部から供給される。記録媒体から読み出されるなどして得られたオーディオ信号は、図中ＡＤＩで示されるように無線送信部ｗ１に入力され、Ａ／Ｄ変換部３によってアナログ信号からデジタル信号に変換される。変調部４はこのデジタル信号を用いて、発振部６で発生される搬送波をデジタル変調する。変調された信号はアンテナＡ１から電波として受信機２へ送信される。発振部６は周波数制御部５からの制御に従った搬送周波数の搬送波を発生するが、この搬送周波数は複数通りに変更することができるようになっている。送受信システム１では、複数の搬送周波数から選択された１つを送信機２と受信機３との間での送受信に用いる。
【００４５】
操作キーＫはユーザの入力を受け付けるキー群であって最適受信チェックボタンＣＢを備えており、ユーザが送受信システム１において最適な送受信が行われるように搬送周波数の設定を行いたいときに、この最適受信チェックボタンＣＢを押すようになっている。マイコンＭ１は、外付けで送信機２に備えられるものであり、操作キーＫからの入力を取り込んで送信機２を制御する。ユーザによって最適受信チェックボタンＣＢが押されたときには、これを無線通信に用いる１つの搬送周波数を決定するための指示として、送信周波数変更信号ｓ１を出力して周波数制御部５に入力する。送信周波数変更信号ｓ１は例えば３ビットのＨ／Ｌ信号からなる。このビット数は搬送周波数の数に応じて設定されており、送信周波数変更信号ｓ１は搬送周波数に対応して値を変えながら搬送周波数の数だけ連続して順に周波数制御部５に入力される。ここでは搬送周波数を、搬送周波数帯域の低域側から高域側へ向かって順に変更するものとする。また、本実施形態ではこの送信周波数変更信号ｓ１の順次出力のサイクルが、最適受信チェックボタンＣＢが押されてから２回行われるようになっており、１回目のサイクルが周波数変更テスト送信、２回目のサイクルが周波数変更再送信に対応している。周波数変更テスト送信および周波数変更再送信については後述する。
【００４６】
次に、受信機３は、無線受信部ｗ２、マイコンＭ２、メモリＭ３、表示装置ＤＰ、およびスピーカＳＰを備えている。
【００４７】
無線受信部ｗ２は、受信部１１、周波数制御部１２、復調部１３、Ｄ／Ａ変換部１４、エラー確認部１５、アンテナＡ２を備えている。電源は図中Ｐ２で示されるように外部から供給される。送信機２から送信された電波はアンテナＡ２を介して受信部１１で受信される。周波数制御部１２は、受信部１１での受信周波数を制御する。復調部１３は受信部１１で受信した信号をデジタル信号に復調し、Ｄ／Ａ変換部１４は復調されたデジタル信号をアナログ信号に変換する。得られたアナログのオーディオ信号は図中ＡＤＯで示されるように外部に出力される。エラー確認部１５は、復調部１３によって復調されたデジタル信号のエラーデータの数に応じたパルスをマイコンＭ２に出力する。エラーデータが多いほどパルス数は多い。
【００４８】
マイコンＭ２は、外付けで受信機３に備えられるものであり、図示しない操作キーからの入力を取り込んで受信機３を制御し、また、周波数制御部１２に受信周波数変更信号ｓ２を出力しながら受信部１１での受信周波数のオートスキャンを指示する。マイコンＭ２は常時、受信が正常であるか否かを確認をしており、受信周波数が合わなくなった場合には、オートスキャンによって受信ができるようになるまで順次、用意された受信周波数に対応した受信周波数変更信号ｓ２を出力して受信周波数を変えていく。受信機３はこの受信周波数として、送信機２が備える搬送周波数と同じものを備えている。また、マイコンＭ２は、エラー確認部１５から出力されたエラーパルスの数を計数し、この計数をもって受信信号のエラー発生率（ＢＥＲ）の判定とする。そして、判定したエラー発生率をそのときの搬送周波数に対応させてメモリＭ３に記憶させ、さらに、記憶されたエラー発生率を必要に応じて読み出す。マイコンＭ２は、全ての搬送周波数の中から最もエラー発生率の小さい搬送周波数を判定して最適な受信を行うことのできる搬送周波数とし、送受信システム１が無線通信に用いる１つの搬送周波数として決定する。
【００４９】
表示装置ＤＰは、マイコンＭ２によって表示内容が制御される装置であり、本実施形態では特に、最適な受信を行うことのできる搬送周波数をマイコンＭ２が決定したときに、決定した搬送周波数についての情報を表示によりユーザに通知する。スピーカＳＰは、マイコンＭ２によって出力内容が制御される装置であり、本実施形態では特に、最適な受信を行うことのできる搬送周波数をマイコンＭ２が決定したときに、決定した搬送周波数についての情報を音声によりユーザに通知する。表示装置ＤＰとスピーカＳＰとは、決定した搬送周波数をユーザに通知するという点では、いずれか一方が備えられていれば充分である。
【００５０】
次に、上記の構成の送受信システム１による送受信方法について、図２のフローチャートを参照しながら説明する。なお、以下の送受信方法において最適な搬送周波数の決定に伴う、送信機２および受信機３のマイコンＭ１・Ｍ２の指示による各動作は、送信機２および３に格納されるプログラムによって実現することができる。
【００５１】
図２のＳ１では、まず、ユーザが最適受信チェックボタンＣＢを押すことにより、最適受信の確認動作モードに移行する。最適受信チェックボタンＣＢを押す操作は、送受信システム１を使用開始するために最適な送受信周波数を確認したいという状況で行われる場合もあれば、送受信システム１の使用中に受信状況が悪化したために受信状況の改善を求めて行われる場合もある。
【００５２】
Ｓ２では、最適受信チェックボタンが押されたことにより、マイコンＭ１が送信機２に周波数変更テスト送信を行わせる。周波数変更テスト送信では、送信周波数を予め定められた順で連続して変更していく。これを行うため、マイコンＭ１はこの順序に対応するように内容を変更しながら周波数制御部５に送信周波数変更信号ｓ１を入力する。搬送周波数が８通り備えられている場合には、送信周波数変更信号ｓ１は３ビットのＨ／Ｌ出力で構成することができ、この８通りの送信周波数変更信号ｓ１に従って、送信機２は搬送波を最初の搬送周波数となるチャネル１から順に最後の搬送周波数となるチャネル８まで順次切り替えて受信機３に送信を行う。
【００５３】
このとき受信機３においては、送信機２が周波数変更テスト送信を行うことから受信周波数が合わなくなるため、受信機３は、周波数変更テスト送信による全搬送周波数に対してオートスキャンを行って送信波を受信する。例えば送信機２から送信されてくる電波がチャネル１の搬送周波数の送信波である時間には、受信機３のマイコンＭ２が周波数制御部１２に順に各搬送周波数に対応する受信周波数変更信号ｓ２を入力すると、チャネル１の受信周波数で受信ができるようになる。送信機２が搬送周波数の異なる各送信波を送信する各時間は、受信機３がそれぞれの搬送周波数に対してオートスキャンで全受信周波数のスキャンを行うのにかかる時間よりも長くなるように設定されている。そして、送信機２からの送信波がチャネル２になると、受信機３の受信周波数が合わなくなるため、受信機３は再びオートスキャンを行ってチャネル２を受信することができるようになるまで受信周波数を変更していく。
【００５４】
このようにしてそれぞれの搬送周波数に対して受信機３の受信周波数が合致すると、各受信周波数による受信において、送信機２からの送信波を正常に受信していることを確認するために、送信波に含まれているＩＤコードが受信機２の保有するＩＤコードと合致するかどうかを判定する。そして、受信機３は、エラー確認部１５およびマイコンＭ２によって、復調されたデジタル信号のエラーデータの個数を計数し、エラー発生率の判定を行う。そして、マイコンＭ２は全ての搬送周波数に対して判定されたエラー発生率を、搬送周波数に対応させてメモリＭ３に記憶させる。
【００５５】
送信機２が周波数変更テスト送信を終了すると、Ｓ３では、送信機２が周波数変更再送信を行う。周波数変更再送信では、周波数変更テスト送信と同じ順序および時間で搬送周波数を切り替えて送信を行う。これに合わせて受信機３はオートスキャンを行うが、周波数変更テスト送信時に記憶した各搬送周波数に対応するエラー発生率を認識しており、記憶している中で最もエラー発生率の小さい搬送周波数に対応する送信波が送信されてくると、これを受信したときにそれ以上の受信周波数の変更を停止する。すなわち、ここでオートスキャンを一旦無効にする。そして、受信機３は、マイコンＭ２の制御により、エラー発生率の最も小さい搬送周波数、すなわち最適な受信を行うことができる搬送周波数についての情報を、表示装置ＤＰに表示したり、スピーカＳＰから音声で出力したりする。受信機３は、これにより、最適受信チェックボタンＣＢを押した人など、ユーザに、無線通信に用いる１つの搬送周波数として決定した搬送周波数を通知する。
【００５６】
この通知を知ったユーザが再度最適受信チェックボタンＣＢを押すと、Ｓ４では送信機２が最適受信の確認動作モードを解除する。これにより、受信周波数は固定される。ユーザは、送信機２の送信周波数を通知された搬送周波数に手動で合わせれば、受信機３との間で最適な通信を行うことができる。送信機２と受信機３との間でオーディオ信号の再生のための送受信が開始されると、受信機３は設定した受信周波数で受信を続け、オートスキャンは再び有効となる。従って、途中で再度、ユーザが最適受信チェックボタンＣＢを押せば、上述した受信周波数の設定が繰り返される。
【００５７】
以上に述べた送受信システム１によれば、予め備えられている全ての搬送周波数についてエラー発生率を求め、最小のエラー発生率となる搬送周波数を探索するようにしているので、電波環境の悪い状況でもその状態で最も良好な受信を行うことのできる受信周波数を設定することが可能となる。受信機３は、送信機２から周波数変更再送信によって送信される送信波に合わせて受信周波数を設定していき、エラー発生率の最も小さい送信波を受信したときに、この送信波の搬送周波数を無線通信に用いる１つの搬送周波数として、自己の受信周波数とするとともに、ユーザに通知することができる。また、送受信システム１では、送信機２は送信機能のみ、受信機３は受信機能のみという単機能を備えるだけで最適な搬送周波数を求めている。
【００５８】
次に、送信機２および受信機３とも送信機能と受信機能との両方を備えた送受信システムにより、上述の動作モードを拡張することについて説明する。
【００５９】
送信機２がさらに受信部を備え、受信機３がさらに送信部を備える場合、周波数変更テスト送信を行った後に周波数変更再送信を行わなくとも、受信機３は周波数変更テスト送信時にエラー発生率をメモリＭ３に記憶しているので、エラー発生率の判定についての結果としてエラー発生率の最も小さな搬送周波数についての情報を、送信機２に送信することができる。送信機２は受信部によってこの情報を受信し、受信した搬送周波数を無線通信に用いる１つの搬送周波数として決定して、直接自己により送信周波数をこの周波数に設定する。従って、早い時間で、また、簡単に、最適受信ができるようになる。
【００６０】
また、送信機２と受信機３とがこのような双方向通信を行うことができるので、例えばチャネル３が受信に最適であったが何らかの原因で正常に受信することができなくなった場合に、受信機３は記憶しているエラー発生率のうち２番目に小さいエラー発生率の搬送周波数がチャネル４であることを送信機２に送信する、というように詳細な情報を送信機２に知らせることができる。また、ユーザの手間を省略して直接そのときの最適受信用の設定を行うことができる。従って、ユーザは周波数設定を意識しなくても、常時最適な受信環境で受信を行うことができる。
【産業上の利用可能性】
【００６１】
本発明は、ワイアレス方式のサラウンドシステムに好適に適用することができる。
【図面の簡単な説明】
【００６２】
【図１】本発明の実施形態を示すものであり、送受信システムの要部構成を示すブロック図である。
【図２】図１の送受信システムにおける最適搬送周波数の決定動作を説明するフローチャートである。
【符号の説明】
【００６３】
１    送受信システム
２    送信機
３    受信機
【図１】
2005318008.tif 000003
【図２】
2005318008.tif 000004